(57)【要約】【課題】目に圧迫感を与えず、また、目の周囲が暑くならず、また、眼鏡を掛けたまま使用できる安眠マスクを提供する。【解決手段】遮光性シートを眼鏡に貼り付けて固定し、その眼鏡を掛けることで目に入る光を遮断し、これを安眠マスクとして使用する。眼鏡に貼り付けるため、装着感は眼鏡を掛けることと変わりなく、目に対する圧迫感も与えない。また、目の周囲が暑くなることも無く、眼鏡を掛けたまま装着することができる。【選択図】　図３
2004086113.tif 000002
【特許請求の範囲】
【請求項１】
遮光性シート１に粘着剤３を塗布することで眼鏡に貼り付くようにし、その眼鏡を掛けることで目に入る光を遮断することを特徴とする安眠マスク。
【請求項２】
シート自身が粘着性能を持つ遮光性シート１１を眼鏡に貼り付け、その眼鏡を掛けることで目に入る光を遮断することを特徴とする安眠マスク。
【請求項３】
遮光性シート１２に静電気を帯電させることで眼鏡に貼り付くようにし、その眼鏡を掛けることで目に入る光を遮断することを特徴とする安眠マスク。
【請求項４】
遮光性シートに粘着剤塗布、あるいは遮光性シート自体が有する粘着性、あるいは静電気の帯電による接着性によって、眼鏡に複数回貼り付けたり取り外したりすることができることを特徴とする安眠マスク。
【発明の詳細な説明】
【０００１】
【発明の属する技術分野】
本発明は、着けはずしが複数回可能な遮光性シートを眼鏡に貼り付け、その眼鏡を掛けることによって目に入る光を遮断することができる安眠マスクに関する。
【０００２】
【従来の技術】
従来の安眠マスクは、遮光性の布などを目に直接かぶせ、その両端から出たゴムや紐を後頭部に回したり、あるいは両耳に掛けたりすることで固定させるように作られていた。
【０００３】
【発明が解決しようとする課題】
従来の安眠マスクは、遮光性の布などを目に直接かぶせ、その両端から出たゴムや紐を後頭部に回したり、あるいは両耳に掛けたりすることで固定させるように作られていたため、目の周辺や頭部や耳に圧迫感を感じさせるという問題点があった。
【０００４】
また、従来の安眠マスクは、顔の肌を直接覆うため暑く感じることがあった。
【０００５】
また、従来の安眠マスクは、眼鏡をかけている場合はその眼鏡を外してから装着する必要があった。
本発明は、以上のような欠点を除くためになされたものである。
【０００６】
【課題を解決するための手段】
上記の課題を解決するために、本発明の安眠マスクは、光を遮断するシートを眼鏡のレンズやフレームに貼り付け、その貼り付けた眼鏡を掛けることによって目に入る光をさえぎるようにし、これを安眠マスクとして使用する。そうすることにより、本発明の安眠マスクの装着感は眼鏡を掛けることと変わりが無く、両目の前に空間が確保されるため、目に対する圧迫感を感じることが無い。
【０００７】
また、遮光性シートは、眼鏡に貼り付けて装着するため、両目の前に空間が確保され、本発明の安眠マスクを装着しても、暑く感じることが無い。
【０００８】
また、遮光性シートは、眼鏡に貼り付けるため、本発明の安眠マスクは眼鏡をかけたまま装着することができる。
【０００９】
【発明の実施の形態】
発明の実施の形態を、図面を参照して説明する。
図１は本発明の安眠マスクの一実施例であり、１の遮光性シートによって目に入る光を遮断する。
【００１０】
遮光性シートは、織物、フエルト、不織布、紙、皮革、木、竹、プラスチック、プラスチックの発泡品、金属、ガラス、セラミックなど、光をさえぎる材料からなる。遮光性シートには、印刷や他の材料のラミネートなどにより、色や柄を付けたり、厚みや剛性を付加することもできる。
【００１１】
図２は、本発明の安眠マスクを眼鏡に貼り付けた一実施例を表している。１の遮光性シートは、シートに塗布された粘着剤３によって、眼鏡のレンズやフレームに貼り付き固定されている。粘着剤３は図４に表される。
【００１２】
また、この遮光性シートは、シート自体が粘着性を有する材料であれば、粘着材を塗布しなくても、そのまま眼鏡のレンズやフレームに貼り付けて固定させることができる。
また、シートに静電気を帯電させることによって、眼鏡のレンズやフレームに貼り付けて固定させることもできる。
【００１３】
図３は本発明の安眠マスクを顔に装着して使用している一実施例である。
図４は本発明の安眠マスク請求項１の断面図である。遮光性シート１に粘着剤３を塗布したもので構成される。この粘着剤３によって眼鏡のレンズやフレームに貼り付き、目に入る光を遮断する。
【００１４】
図５は本発明の安眠マスク請求項２の断面図である。遮光性シート１１自体が粘着性能を持つ。この粘着性能によって眼鏡のレンズやフレームに貼り付き、目に入る光を遮断する。
【００１５】
図６は本発明の安眠マスク請求項３の断面図である。遮光性シート１２に静電気が帯電している。この静電気によって眼鏡のレンズやフレームに貼り付き、目に入る光を遮断する。
【００１６】
また、この遮光性シートは、粘着剤や、シート自体が有する粘着性の接着強度を適度に持たせることにより、あるいは静電気を帯電させたことにより発生する吸着性能により、眼鏡に何回も貼り着けたり取り外したりすることが可能である。
【００１７】
粘着剤の接着強度の調整は、すでに周知の技術であり、何度も貼り着けたり取り外したりができる性質を生かした用途として、事務用品の付箋や糊として商品化されている。
【００１８】
また、シート自体が粘着性を有する材料は、周知の技術として軟質のプラスチックシートが知られており、薄型の携帯用将棋や麻雀などのゲームに利用されている。
また、粘着性を有するプラスチックの発泡シートも周知の技術として製品化されており、例えばアクリルの発泡シートが商品化されている。
【００１９】
また、静電気を帯電させる方法として、プラスチック製の遮光性シートにフィルムを貼っておき、そのフィルムを素早く引き剥がすことで遮光性シートに静電気を帯びさせることができる。一例として、市販されている食品用ラップは、引き剥がす時に生じる静電気を利用して、食器とラップを密着させている。
【００２０】
【発明の効果】
本発明は、以上説明したようなものであるから、以下に記載されるような効果を奏する。
本発明の安眠マスクは、遮光性シートを眼鏡に貼り付けることによって目に入る光を遮断するため、装着感が眼鏡を掛けることと変わらない。安眠マスクは眼鏡に貼り付けるため、目と安眠マスクの間に空間が確保され、圧迫感を感じたり、目の周辺が暑くなったりすることが無い。
【００２１】
また、本発明の安眠マスクは眼鏡に貼り付けることを特徴とするため、普段眼鏡を掛けている人は、眼鏡をはずさなくてすむ。また、装着の作業は、眼鏡を掛けた状態のままでも簡単に行うことができる。
また、普段眼鏡を使用しない人は、市販のサングラスなどを持つようにすればそれに取り付けることができる。
【００２２】
また、眼鏡への接着力を適度にすることで、何回も貼り付けたり取り外したりすることができるので、何度でも使用することができる。
【図面の簡単な説明】
【図１】本発明の一実施例を示す平面図である。
【図２】本発明の一実施例の安眠マスクを眼鏡に貼り付けた状態の斜視図である。
【図３】本発明の一実施例を使用している状態を示す斜視図である。
【図４】本発明の請求項１の断面図である。
【図５】本発明の請求項２の断面図である。
【図６】本発明の請求項３の断面図である。
【符号の説明】
１　遮光性シート
１１　粘着性の遮光性シート
１２　静電気が帯電している遮光性シート
２　眼鏡
３　粘着剤
【図１】
2004086113.tif 000003
【図２】
2004086113.tif 000004
【図３】
2004086113.tif 000005
【図４】
2004086113.tif 000006
【図５】
2004086113.tif 000007
【図６】
2004086113.tif 000008